【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
伝送すべき電気信号を出力する信号源と、
光を出力する光源と、
前記光源からの出力光を第１および第２の光波に分岐して出力する光分岐部と、
前記光分岐部から出力された第１の光波を導く第１の光導波部と、
前記光分岐部から出力された第２の光波を導く第２の光導波部と、
誘導ブリルアン散乱により、前記第２の光導波路により導かれる第２の光波の周波数よりもストークスシフト周波数だけ低い周波数を有する第３の光波を発生し出力するＳＢＳ発生部と、
前記ＳＢＳ発生部から出力された第３の光波を導く第３の光導波部と、
前記第１の光導波部により導かれる第１の光波と、前記第３の光導波部により導かれる第３の光波とを結合して出力する光結合部と、
前記光結合部からの出力光をヘテロダイン検波することにより、前記第１の光波と前記第３の光波との差の周波数に発生する成分（以下、ビート成分と称す）を検知して出力する光検波部とを備え、
前記光源からの出力光、および前記第１〜第３の光導波部により導かれる第１〜第３の光波のいずれかが、前記信号源からの電気信号により光変調されることにより、前記光検波部から出力されるビート成分は、当該電気信号に基づいて変調される、高周波変調信号発生装置。
【請求項２】
前記ＳＢＳ発生部は、
カプラ部と、
誘導ブリルアン散乱により、前記第２の光導波路により導かれる第２の光波の周波数よりも前記ストークスシフト周波数だけ低い周波数を有する第３の光波を後方に散乱する光ファイバ部とを含み、
前記カプラ部は、前記第２の光導波路を導かれる第２の光波を前記光ファイバ部へ出力し、さらに前記光ファイバ部によって後方に散乱される第３の光波を前記第３の光導波路に出力する、請求項１に記載の高周波変調信号発生装置。
【請求項３】
前記光源は、入力される電気信号の振幅変化に応じて、発振光周波数を変化する性質を有しており、
前記信号源からの電気信号で前記光源を直接変調することにより、当該光源からの出力光の周波数または位相は、当該電気信号の振幅変化に基づいて変調される、請求項１または２に記載の高周波変調信号発生装置。
【請求項４】
前記光源は、入力される電気信号の振幅変化に応じて、発振光強度を変化する性質を有しており、
前記信号源からの電気信号で前記光源を直接変調することにより、当該光源からの出力光の強度は、当該電気信号の振幅変化に基づいて変調される、請求項１または２に記載の高周波変調信号発生装置。
【請求項５】
前記信号源および前記光源と接続される外部光変調部をさらに備え、
前記外部光変調部は、前記信号源から出力される電気信号で、前記光源から出力される光の周波数、位相または強度を変調する、請求項１または２に記載の高周波変調信号発生装置。
【請求項６】
前記信号源と接続されており、前記第１の光導波部の途中に設けられる外部光変調部をさらに備え、
前記外部光変調部は、前記信号源から出力される電気信号で、前記第１の光導波部を導かれる第１の光波の周波数、位相または強度を変調する、請求項１または２に記載の高周波変調信号発生装置。
【請求項７】
前記信号源と接続されており、前記第２の光導波部の途中に設けられる外部光変調部をさらに備え、
前記外部光変調部は、前記信号源から出力される電気信号で、前記第２の光導波部を導かれる第２の光波の周波数、位相または強度を変調する、請求項１または２に記載の高周波変調信号発生装置。
【請求項８】
前記信号源と接続されており、前記第３の光導波部の途中に設けられる外部光変調部をさらに備え、
前記外部光変調部は、前記信号源から出力される電気信号で、前記第３の光導波部を導かれる第３の光波の周波数、位相または強度を変調する、請求項１または２に記載の高周波変調信号発生装置。
【請求項９】
前記光検波部から出力されるビート成分を入力し、当該ビート成分に対して分周を行って出力する分周部をさらに備える、請求項１〜８のいずれかに記載の高周波変調信号発生装置。
【請求項１０】
前記第２の光導波部および前記第３の光導波部の間に、複数個のＳＢＳ発生部が縦続接続されている、請求項１〜９のいずれかに記載の高周波変調信号発生装置。
【請求項１１】
伝送すべき電気信号を出力する信号源と、
光を出力する光源と、
前記光源からの出力光を第１および第２の光波に分岐して出力する光分岐部と、
前記光分岐部から出力された第１の光波を導く第１の光導波部と、
前記光分岐部から出力された第２の光波を導く第２の光導波部と、
前記第２の光導波路により導かれる第２の光波の周波数を所定周波数に変換して、第３の光波として出力する周波数変換部と、
前記周波数変換部から出力された第３の光波を導く第３の光導波部と、
前記第１の光導波部により導かれる第１の光波と、前記第３の光導波部により導かれる第３の光波とを結合して出力する光結合部と、
前記光結合部からの出力光をヘテロダイン検波することにより、前記第１の光波と前記第３の光波との差の周波数に発生する成分（以下、ビート成分と称す）を検知して出力する光検波部とを備え、
前記光源からの出力光、および前記第１〜第３の光導波部を導かれる第１〜第３の光波のいずれかが、前記信号源からの電気信号により光変調されることにより、前記光検波部から出力されるビート成分は、当該電気信号に基づいて変調される、高周波変調信号発生装置。
【手続補正２】
【補正対象書類名】明細書
【補正対象項目名】０００８
【補正方法】変更
【補正の内容】
【０００８】
第１の発明に係る高周波信号発生装置は、伝送すべき電気信号を出力する信号源と、光を出力する光源と、光源からの出力光を第１および第２の光波に分岐して出力する光分岐部と、光分岐部から出力された第１の光波を導く第１の光導波部と、光分岐部から出力された第２の光波を導く第２の光導波部と、誘導ブリルアン散乱により、第２の光導波路により導かれる第２の光波の周波数よりもストークスシフト周波数だけ低い周波数を有する第３の光波を発生し出力するＳＢＳ発生部と、ＳＢＳ発生部から出力された第３の光波を導く第３の光導波部と、第１の光導波部により導かれる第１の光波と、第３の光導波部により導かれる第３の光波とを結合して出力する光結合部と、光結合部からの出力光をヘテロダイン検波することにより、第１の光波と第３の光波との差の周波数に発生する成分（以下、ビート成分と称す）を検知して出力する光検波部とを備える。ここで、光源からの出力光、および第１〜第３の光導波部により導かれる第１〜第３の光波のいずれかが、信号源からの電気信号により光変調されることにより、光検波部から出力されるビート成分は、当該電気信号に基づいて変調される。
【手続補正３】
【補正対象書類名】明細書
【補正対象項目名】００１０
【補正方法】変更
【補正の内容】
【００１０】
第２の発明では、ＳＢＳ発生部が、カプラ部と、誘導ブリルアン散乱により、第２の光導波路により導かれる第２の光波の周波数よりもストークスシフト周波数だけ低い周波数を有する第３の光波を後方に散乱する光ファイバ部とを含む。ここで、カプラ部は、第２の光導波路を導かれる第２の光波を光ファイバ部へ出力し、さらに光ファイバ部によって後方に散乱される第３の光波を第３の光導波路に出力する。
【手続補正４】
【補正対象書類名】明細書
【補正対象項目名】００１２
【補正方法】変更
【補正の内容】
【００１２】
第３の発明では、光源が、入力される電気信号の振幅変化に応じて、発振光周波数を変化する性質を有しており、信号源からの電気信号で光源を直接変調することにより、当該光源からの出力光の周波数または位相が、当該電気信号の振幅変化に基づいて変調される。
【手続補正５】
【補正対象書類名】明細書
【補正対象項目名】００１４
【補正方法】変更
【補正の内容】
【００１４】
第４の発明では、光源が、入力される電気信号の振幅変化に応じて、発振光強度を変化する性質を有しており、信号源からの電気信号で光源を直接変調することにより、当該光源からの出力光の強度が、当該電気信号の振幅変化に基づいて変調される。
【手続補正６】
【補正対象書類名】明細書
【補正対象項目名】００１６
【補正方法】変更
【補正の内容】
【００１６】
第５の発明では、高周波信号発生装置は、信号源および光源と接続される外部光変調部をさらに備え、外部光変調部は、信号源から出力される電気信号で、光源から出力される光の周波数、位相または強度を変調する。
【手続補正７】
【補正対象書類名】明細書
【補正対象項目名】００１８
【補正方法】変更
【補正の内容】
【００１８】
第６の発明では、高周波信号発生装置は、信号源と接続されており、第１の光導波部の途中に設けられる外部光変調部をさらに備え、外部光変調部は、信号源から出力される電気信号で、第１の光導波部を導かれる第１の光波の周波数、位相または強度を変調する。
【手続補正８】
【補正対象書類名】明細書
【補正対象項目名】００２０
【補正方法】変更
【補正の内容】
【００２０】
第７の発明では、高周波信号発生装置は、信号源と接続されており、第２の光導波部の途中に設けられる外部光変調部をさらに備え、外部光変調部は、信号源から出力される電気信号で、第２の光導波部を導かれる第２の光波の周波数、位相または強度を変調する。
【手続補正９】
【補正対象書類名】明細書
【補正対象項目名】００２２
【補正方法】変更
【補正の内容】
【００２２】
第８の発明では、高周波信号発生装置は、信号源と接続されており、第３の光導波部の途中に設けられる外部光変調部をさらに備え、外部光変調部は、信号源から出力される電気信号で、第３の光導波部を導かれる第３の光波の周波数、位相または強度を変調する。
【手続補正１０】
【補正対象書類名】明細書
【補正対象項目名】００２４
【補正方法】変更
【補正の内容】
【００２４】
第９の発明では、高周波信号発生装置は、光検波部から出力されるビート成分を入力し、当該ビート成分に対して分周を行って出力する分周部をさらに備える。
【手続補正１１】
【補正対象書類名】明細書
【補正対象項目名】００２６
【補正方法】変更
【補正の内容】
【００２６】
第１０の発明では、第２の光導波部および第３の光導波部の間に、複数個のＳＢＳ発生部が縦続接続されている。
【手続補正１２】
【補正対象書類名】明細書
【補正対象項目名】００２８
【補正方法】変更
【補正の内容】
【００２８】
第１１の発明に係る高周波変調信号発生装置は、伝送すべき電気信号を出力する信号源と、光を出力する光源と、光源からの出力光を第１および第２の光波に分岐して出力する光分岐部と、光分岐部から出力された第１の光波を導く第１の光導波部と、光分岐部から出力された第２の光波を導く第２の光導波部と、第２の光導波路により導かれる第２の光波の周波数を所定周波数に変換して、第３の光波として出力する周波数変換部と、周波数変換部から出力された第３の光波を導く第３の光導波部と、第１の光導波部により導かれる第１の光波と、第３の光導波部により導かれる第３の光波とを結合して出力する光結合部と、光結合部からの出力光をヘテロダイン検波することにより、第１の光波と第３の光波との差の周波数に発生する成分（以下、ビート成分と称す）を検知して出力する光検波部とを備える。ここで、光源からの出力光、および第１〜第３の光導波部を導かれる第１〜第３の光波のいずれかが、信号源からの電気信号により光変調されることにより、光検波部から出力されるビート成分は、当該電気信号に基づいて変調される。
【手続補正１３】
【補正対象書類名】明細書
【補正対象項目名】００３８
【補正方法】変更
【補正の内容】
【００３８】
信号源１０１からの電気信号は、外部光変調部４０１に入力される。外部光変調部４０１には、入力される電気信号の振幅変動に応じて、入力される光波の周波数を変化する機能を有するものが適用される。このため、外部光変調部４０１は、光分岐部１０３より入力される第１の光波の周波数を、信号源１０１より出力される電気信号の振幅変動に応じて変調して、光ＦＭ信号として光結合部１０５に出力する。その他の構成各部の動作については、第１の実施形態で説明したものと同様であるため、その説明を省略する。
【手続補正１４】
【補正対象書類名】明細書
【補正対象項目名】００４３
【補正方法】変更
【補正の内容】
【００４３】
光分岐部１０３から出力される第２の光波は、前段のＳＢＳ発生部１０４において、ストークス周波数だけ低周波数の光波に変換された後、後段のＳＢＳ発生部１０４に出力される。後段のＳＢＳ発生部１０４は、入力された光波をさらにストークス周波数だけ低周波数の光波に変換した後、第３の光波として出力する。これによって、第２の光波と第３の光波との周波数差はストークスシフト周波数の２倍となり、その結果、光検波部１０６から出力される高周波変調信号の中心周波数は、より高くなり、ストークス周波数の２倍（約２０ＧＨｚ）となる。
以上の説明から明らかなように、同一のＳＢＳ発生部１０４をＭ個（Ｍは２以上の自然数）縦続接続することにより、ストークス周波数のＭ倍の中心周波数を有する高周波変調信号を発生することが可能である。